(57)【要約】【課題】  複製作業が途中で中断した場合でも、複製作業が簡単な記録再生装置を提供する。【解決手段】  ＣＤ読取部１６にセットされた音楽ＣＤに記憶された曲データをハードディスク２１に複製する複製手段と、複製手段による複製が中断された際に、音楽ＣＤを識別する識別情報であるＴＯＣ情報と複製が済んだ曲を特定する複製済み曲情報とを対応付けて保持する保持手段と、ハードディスク２１に記憶された曲データを再生する再生手段とを備え、複製手段は、複製が中断された音楽ＣＤがＣＤ読取部１６にセットされた際に、保持手段に保持されたＴＯＣ情報及び複製済み曲情報に基づいて、ハードディスク２１への複製を再開する。【選択図】        図１
2005085304.tif 000002
【特許請求の範囲】
【請求項１】
所定の読取手段にセットされた記録媒体に記録された曲データを所定の記憶手段に複製する複製手段と、
前記複製手段による複製が中断された際に、前記記録媒体を識別する識別情報と複製が済んだ曲を特定する複製済み曲情報とを対応付けて保持する保持手段と、
前記記憶手段に記憶された曲データを再生する再生手段とを備え、
前記複製手段は、複製が中断された記録媒体が前記読取手段にセットされた際に、前記保持手段に保持された前記識別情報及び前記複製済み曲情報に基づいて、前記記憶手段への複製を再開することを特徴とする記録再生装置。
【請求項２】
前記記録再生装置は更に、複製が中断された記録媒体が前記読取手段にセットされた際に、前記記憶手段への複製を再開するか否かをユーザに選択させるためのダイアログを表示するダイアログ表示手段を有することを特徴とする請求項１記載の記録再生装置。
【請求項３】
前記再生手段は、前記複製手段による複製が所定期間経過内に再開された場合には、中断した曲から曲データを再生し、前記複製手段による複製が所定期間経過後に再開された場合又は前記読取手段にセットされた記録媒体が１度イジェクトされ、再び前記読取手段にセットされた場合には、最初の曲から曲データを再生することを特徴とする請求項１又は請求項２記載の記録再生装置。
【請求項４】
所定の読取手段にセットされた記録媒体に記録された曲データを所定の記憶手段に複製する複製手段と、
前記記録媒体に記録された曲データを再生する再生手段と、
ソースの切替により前記再生手段による再生が中断された際に、再生が中断された位置を特定する再生中断位置情報を保持する保持手段とを備え、
前記複製手段は、前記ソースの切替により再生が中断した場合にも、前記記憶手段への複製を継続し、
前記再生手段は、ソースの切替により前記読取手段にセットされた記録媒体の曲データの再生が指示された際に、前記保持手段に保持された再生中断位置情報に基づいて、前記記録媒体に記憶された曲データの再生を再開することを特徴とする記録再生装置。
【請求項５】
所定の読取手段にセットされた記録媒体に記録された曲データを所定の記憶手段に複製する複製段階と、
前記複製段階による複製が中断された際に、前記記録媒体を識別する識別情報と複製が済んだ曲を特定する複製済み曲情報とを対応付けて保持手段に保持させる保持段階と、
前記記憶手段に記憶された曲データを再生する再生段階とを有し、
前記複製段階は、複製が中断された記録媒体が前記読取手段にセットされた際に、前記保持手段に保持された前記識別情報及び前記複製済み曲情報に基づいて、前記記憶手段への複製を再開することを特徴とする曲データの記録再生方法。
【請求項６】
前記曲データの記録再生方法は更に、複製が中断された記録媒体が前記読取手段にセットされた際に、前記記憶手段への複製を再開するか否かをユーザに選択させるためのダイアログを表示するダイアログ表示段階を有することを特徴とする請求項５記載の曲データの記録再生方法。
【請求項７】
前記再生段階は、前記複製段階による複製が所定期間経過内に再開された場合には、中断した曲から曲データを再生し、前記複製手段による複製が所定期間経過後に再開された場合又は前記読取手段にセットされた記録媒体が１度イジェクトされ、再び前記読取手段にセットされた場合には、最初の曲から曲データを再生することを特徴とする請求項５又は請求項６記載の曲データの記録再生方法。
【請求項８】
所定の読取手段にセットされた記録媒体に記録された曲データを所定の記憶手段に複製する複製段階と、
前記記録媒体に記録された曲データを再生する再生段階と、
ソースの切替により前記再生手段による再生が中断された際に、再生が中断された位置を特定する再生中断位置情報を保持手段に保持させる保持段階とを有し、
前記複製段階は、前記ソースの切替により再生が中断した場合にも、前記記憶手段への複製を継続し、
前記再生段階は、ソースの切替により前記読取手段にセットされた記録媒体の曲データの再生が指示された際に、前記保持手段に保持された再生中断位置情報に基づいて、前記記録媒体に記憶された曲データの再生を再開することを特徴とする曲データの記録再生方法。
【請求項９】
所定の読取手段にセットされた記録媒体に記録された曲データを所定の記憶手段に複製する手段、
前記複製手段による複製が中断された際に、前記記録媒体を識別する識別情報と複製が済んだ曲を特定する複製済み曲情報とを対応付けて保持手段に保持させる手段、
複製が中断された記録媒体が前記読取手段にセットされた際に、前記保持手段に保持された前記識別情報及び前記複製済み曲情報に基づいて、前記記憶手段への複製を再開する複製再開手段として機能させるための曲データの記録再生プログラム。
【請求項１０】
前記曲データの記録再生プログラムは更に、複製が中断された記録媒体が前記読取手段にセットされた際に、前記記憶手段への複製を再開するか否かをユーザに選択させるためのダイアログを表示するダイアログ表示手段を有することを特徴とする請求項９記載の曲データの記録再生プログラム。
【請求項１１】
前記再生手段は、前記複製再開手段による複製が所定期間経過内に再開された場合には、中断した曲から曲データを再生し、前記手段による複製が所定期間経過後に再開された場合又は前記読取手段にセットされた記録媒体が１度イジェクトされ、再び前記読取手段にセットされた場合には、最初の曲から曲データを再生することを特徴とする請求項９又は請求項１０記載の曲データの記録再生プログラム。
【請求項１２】
所定の読取手段にセットされた記録媒体に記録された曲データを所定の記憶手段に複製する複製手段、
前記記録媒体に記録された曲データを再生する再生手段、
ソースの切替により前記再生手段による再生が中断された際に、再生が中断された位置を特定する再生中断位置情報を保持手段に保持させる手段、
前記ソースの切替により再生が中断した場合に、前記記憶手段への複製を継続し、ソースの切替により前記読取手段にセットされた記録媒体の曲データの再生が指示された際に、前記保持手段に保持された再生中断位置情報に基づいて、前記記録媒体に記憶された曲データの再生を再開する手段として機能させるための曲データの記録再生プログラム。
【発明の詳細な説明】
【技術分野】
【０００１】
本発明は、記録再生装置、曲データの記録再生方法及び曲データの記録再生プログラムに関する。
【背景技術】
【０００２】
再生した音楽ＣＤ（コンパクトディスク）の音楽データを圧縮し、ハードディスク等に記録するミュージックサーバと呼ばれる製品が知られている。この装置は、音楽ＣＤをＣＤドライブに挿入し、音楽ＣＤから１曲単位、ディスク内の全曲、複数曲を指定してハードディスク等に記録するものである。
【０００３】
このような装置において、音楽ＣＤの曲を高速（例えば、８倍速）でハードディスクに記録しながら、通常速度で再生するものがある。この場合、再生速度と記録速度が異なるため、アルバム等の複数曲を連続して再生および記録する際、途中で電源がオフされた場合あるいは音楽ＣＤがイジェクトされた場合に、どの曲まで記録が完了したか把握することができない。
【０００４】
このため、再度同じ音楽ＣＤを挿入し、前回記録した以降の曲を記録したい場合は、一旦前回記録した分のプレイリストを参照する等して既に記録されている曲を目視で確認した上で、新たに記録する曲を指定しなければならず、操作が煩雑なものとなっていた。
【０００５】
その対策として、従来の再生装置では、例えば１曲目の再生途中で１曲目の記録が終了し２曲目の記録が始まる時に、１曲目の再生を途中で終わらせて２曲目の再生を開始するようにし、記録中の曲に再生中の曲を併せることで、どの曲まで記録完了したかを認識できるようにするものが提案されている。
【０００６】
また、他の従来例として、特許文献１記載の再生装置が提案されている。この特許文献１記載の再生装置は、記録が途中で中断した場合に、ＣＤの再生を記録中断位置から再開するとともに、ＭＤ（ミニディスク）への記録を最終記録位置から再開するようにするというものである。
【０００７】
【特許文献１】特開平１１−２８８５４７号公報
【発明の開示】
【発明が解決しようとする課題】
【０００８】
しかしながら、この従来の再生装置ではどの曲まで記録したかを把握できるメリットはあるものの、再生曲が途中で途切れてしまうため、ユーザにとっては不快である。また、長時間経ってから同じ音楽ＣＤを再度途中から記録させようとした場合、やはりどの曲まで記録したか忘れてしまうので、ユーザによる複製作業が煩雑であるという問題があった。
【０００９】
そこで、本発明は上記従来技術の問題点を解決し、複製作業が途中で中断した場合でも、後の複製作業が簡単な記録再生装置、曲データの記録再生方法、曲データの記録再生プログラムを提供することを目的とする。
【課題を解決するための手段】
【００１０】
上記課題を解決するために、本発明の記録再生装置は、所定の読取手段にセットされた記録媒体に記録された曲データを所定の記憶手段に複製する複製手段と、前記複製手段による複製が中断された際に、前記記録媒体を識別する識別情報と複製が済んだ曲を特定する複製済み曲情報とを対応付けて保持する保持手段と、前記記憶手段に記憶された曲データを再生する再生手段とを備え、前記複製手段は、複製が中断された記録媒体が前記読取手段にセットされた際に、前記保持手段に保持された前記識別情報及び前記複製済み曲情報に基づいて、前記記憶手段への複製を再開することを特徴とする。
【００１１】
本発明によれば、複製が中断された記録媒体が読取手段にセットされた際に、保持手段に保持された識別情報及び複製済み曲情報に基づいて、記憶手段への複製を再開するようにしたので、途中で複製動作が中断した場合でも、中断した箇所から複製を再開することができる。これにより、前回複製していない曲だけを複製する際の操作が極めて容易となる。よって、複製作業が容易となる。
【００１２】
また、本発明の記録再生装置は、上記構成において、更に、複製が中断された記録媒体が前記読取手段にセットされた際に、前記記憶手段への複製を再開するか否かをユーザに選択させるためのダイアログを表示するダイアログ表示手段を有することを特徴とする。
【００１３】
本発明によれば、複製が中断された記録媒体が読取手段にセットされた際に、記憶手段への複製を再開するか否かをユーザに選択させるためのダイアログを表示するようにしたので、ユーザに複製済み曲番の次の曲番から複製を再開するか否かを選択させることができる。
【００１４】
また、本発明の記録再生装置は、上記構成において、前記再生手段は、前記複製手段による複製が所定期間経過内に再開された場合には、中断した曲から曲データを再生し、前記複製手段による複製が所定期間経過後に再開された場合又は前記読取手段にセットされた記録媒体が１度イジェクトされ、再び前記読取手段にセットされた場合には、最初の曲から曲データを再生することを特徴とする。
【００１５】
本発明によれば、再生手段は、複製手段による複製の再開が複製が中断してから所定期間経過内に行われた場合には、中断した曲から曲データを再生し、再開が複製が中断してから所定期間経過後に行われた場合又は読取手段にセットされた記録媒体が１度イジェクトされ、再び読取手段にセットされた場合には、最初の曲から再生するようにしたので、ユーザは、所定期間経過内であれば、中断した曲から曲データを再生させることができる。
【００１６】
また、本発明の記録再生装置は、所定の読取手段にセットされた記録媒体に記録された曲データを所定の記憶手段に複製する複製手段と、前記記録媒体に記録された曲データを再生する再生手段と、ソースの切替により前記再生手段による再生が中断された際に、再生が中断された位置を特定する再生中断位置情報を保持する保持手段とを備え、前記複製手段は、前記ソースの切替により再生が中断した場合にも、前記記憶手段への複製を継続し、前記再生手段は、ソースの切替により前記読取手段にセットされた記録媒体の曲データの再生が指示された際に、前記保持手段に保持された再生中断位置情報に基づいて、前記記録媒体に記憶された曲データの再生を再開することを特徴とする。
【００１７】
本発明によれば、ソースの切替により再生が中断した場合に、記憶手段への複製を継続し、ソースの切替により前記読取手段にセットされた記録媒体の再生が指示された際に、保持手段に保持された再生中断位置情報に基づいて、前記曲データの再生を再開するようにしたので、記憶手段への複製を継続しながら、他のソースを選択することもできる。
【００１８】
また、本発明の曲データの記録再生方法は、所定の読取手段にセットされた記録媒体に記録された曲データを所定の記憶手段に複製する複製段階と、前記複製段階による複製が中断された際に、前記記録媒体を識別する識別情報と複製が済んだ曲を特定する複製済み曲情報とを対応付けて保持手段に保持させる保持段階と、前記記憶手段に記憶された曲データを再生する再生段階とを有し、前記複製段階は、複製が中断された記録媒体が前記読取手段にセットされた際に、前記保持手段に保持された前記識別情報及び前記複製済み曲情報に基づいて、前記記憶手段への複製を再開することを特徴とする。
【００１９】
本発明によれば、複製が中断された記録媒体が読取手段にセットされた際に、保持手段に保持された識別情報及び複製済み曲情報に基づいて、記憶手段への複製を再開するようにしたので、途中で複製動作が中断した場合でも、中断した箇所から複製を再開することができる。これにより、前回複製していない曲だけを複製する際の操作が極めて容易となる。
【００２０】
また、本発明の曲データの記録再生方法は、上記構成において、更に、複製が中断された記録媒体が前記読取手段にセットされた際に、前記記憶手段への複製を再開するか否かをユーザに選択させるためのダイアログを表示するダイアログ表示段階を有することを特徴とする。
【００２１】
本発明によれば、複製が中断された記録媒体が読取手段にセットされた際に、記憶手段への複製を再開するか否かをユーザに選択させるためのダイアログを表示するようにしたので、ユーザに複製済み曲番の次の曲番から複製を再開するか否かを選択させることができる。
【００２２】
また、本発明の曲データ記録再生方法は、上記構成において、前記再生段階は、前記複製段階による複製が所定期間経過内に再開された場合には、中断した曲から曲データを再生し、前記複製手段による複製が所定期間経過後に再開された場合又は前記読取手段にセットされた記録媒体が１度イジェクトされ、再び前記読取手段にセットされた場合には、最初の曲から曲データを再生することを特徴とする。
【００２３】
本発明によれば、複製段階による複製の再開が複製が中断してから所定期間経過内に行われた場合には、中断した曲から曲データを再生し、再開が複製が中断してから所定期間経過後に行われた場合又は読取手段にセットされた記録媒体が１度イジェクトされ、再び読取手段にセットされた場合には、最初の曲から再生するようにしたので、ユーザの意図に反しない再生動作を行うことができる。
【００２４】
また、本発明の曲データの記録再生方法は、所定の読取手段にセットされた記録媒体に記録された曲データを所定の記憶手段に複製する複製段階と、前記記録媒体に記録された曲データを再生する再生段階と、ソースの切替により前記再生手段による再生が中断された際に、再生が中断された位置を特定する再生中断位置情報を保持手段に保持させる保持段階とを有し、前記複製段階は、前記ソースの切替により再生が中断した場合にも、前記記憶手段への複製を継続し、前記再生段階は、ソースの切替により前記読取手段にセットされた記録媒体の曲データの再生が指示された際に、前記保持手段に保持された再生中断位置情報に基づいて、前記記録媒体に記憶された曲データの再生を再開することを特徴とする。
【００２５】
本発明によれば、ソースの切替により再生が中断した場合に、記憶手段への複製を継続し、ソースの切替により読取手段にセットされた記録媒体の再生が指示された際に、保持手段に保持された再生中断位置情報に基づいて、曲データの再生を再開するようにしたので、記憶手段への複製を継続しながら、他のソースを選択することもできる。
【００２６】
また、本発明の曲データの記録再生プログラムは、所定の読取手段にセットされた記録媒体に記録された曲データを所定の記憶手段に複製する手段、前記複製手段による複製が中断された際に、前記記録媒体を識別する識別情報と複製が済んだ曲を特定する複製済み曲情報とを対応付けて保持手段に保持させる手段、複製が中断された記録媒体が前記読取手段にセットされた際に、前記保持手段に保持された前記識別情報及び前記複製済み曲情報に基づいて、前記記憶手段への複製を再開する複製再開手段としてコンピュータを機能させる。
【００２７】
本発明によれば、複製が中断された記録媒体が読取手段にセットされた際に、保持手段に保持された識別情報及び複製済み曲情報に基づいて、記憶手段への複製を再開するようにしたので、途中で複製動作が中断した場合でも、中断した箇所から複製を再開することができる。これにより、前回複製していない曲だけを複製する際の操作が極めて容易となる。
【００２８】
また、本発明の曲データの記録再生プログラムは、上記構成において、更に、複製が中断された記録媒体が前記読取手段にセットされた際に、前記記憶手段への複製を再開するか否かをユーザに選択させるためのダイアログを表示するダイアログ表示手段を有することを特徴とする。
【００２９】
本発明によれば、複製が中断された記録媒体が読取手段にセットされた際に、記憶手段への複製を再開するか否かをユーザに選択させるためのダイアログを表示するようにしたので、ユーザに複製済み曲番の次の曲番から複製を再開するか否かを選択させることができる。
【００３０】
また、本発明の曲データの記録再生プログラムは、上記構成において、前記再生手段は、前記複製再開手段による複製が所定期間経過内に再開された場合には、中断した曲から曲データを再生し、前記手段による複製が所定期間経過後に再開された場合又は前記読取手段にセットされた記録媒体が１度イジェクトされ、再び前記読取手段にセットされた場合には、最初の曲から曲データを再生することを特徴とする。
【００３１】
本発明によれば、複製の再開が複製が中断してから所定期間経過内に行われた場合には、中断した曲から曲データを再生し、再開が複製が中断してから所定期間経過後に行われた場合又は読取手段にセットされた記録媒体がイジェクトされた場合には、最初の曲から再生するようにしたので、ユーザの意図に反しない再生動作を行うことができる。
【００３２】
また、本発明の曲データの記録再生プログラムは、所定の読取手段にセットされた記録媒体に記録された曲データを所定の記憶手段に複製する複製手段、前記記録媒体に記録された曲データを再生する再生手段、ソースの切替により前記再生手段による再生が中断された際に、再生が中断された位置を特定する再生中断位置情報を保持手段に保持させる手段、前記ソースの切替により再生が中断した場合に、前記記憶手段への複製を継続し、ソースの切替により前記読取手段にセットされた記録媒体の曲データの再生が指示された際に、前記保持手段に保持された再生中断位置情報に基づいて、前記記録媒体に記憶された曲データの再生を再開する手段としてコンピュータを機能させる。
【００３３】
本発明によれば、ソースの切替により再生が中断した場合に、記憶手段への複製を継続し、ソースの切替により読取手段にセットされた記録媒体の再生が指示された際に、保持手段に保持された再生中断位置情報に基づいて、曲データの再生を再開するようにしたので、記憶手段への複製を継続しながら、他のソースを選択することもできる。
【発明の効果】
【００３４】
以上説明したように、本発明によれば、複製作業が途中で中断した場合でも、後の複製作業が簡単な記録再生装置、曲データの記録再生方法、曲データの記録再生プログラムを提供できる。
【発明を実施するための最良の形態】
【００３５】
以下、本発明を実施するための最良の形態について説明する。
【実施例】
【００３６】
図１は、本実施例による再生装置１の構成を示すブロック図である。図１に示すように、記録再生装置１は、オーディオコントローラ１１と、メモリコントローラ１２とＲＯＭ（Ｒｅａｄ  Ｏｎｌｙ  Ｍｅｍｏｒｙ）１３と、ＲＡＭ（Ｒａｎｄｏｍ  Ａｃｃｅｓｓ  Ｍｅｍｏｒｙ）１４と、エンコーダ／デコーダ１５と、ＣＤ読取部１６と、ソース切替部１７と、アンプ１８と、ボリュームコントローラ１９とを有する。
【００３７】
ソース切替部１７は、音出力するコンテンツのソースを接続された情報ソースの中から切り換える。ソース切替部１７には、例えば図示するように、ラジオ受信部２５とＣＤ読取部１６（音楽ＣＤやＣＤ−ＲＯＭ等、以下ＣＤメディアという）と記憶装置（ＨＤＤ）２１とが接続されている。
【００３８】
オーディオコントローラ１１は、ユーザからＣＤメディアからの再生機能が選択された場合、メモリコントローラ１２を介してＲＯＭ１３又はＲＡＭ１４から所定のプログラム及び各種情報（以下で説明する動作を実現するプログラム及び各種情報）をロードし、これを実行する。即ち、ソース切替部１７においてＣＤ読取部１６を情報ソースとして設定させ、これにより入力された曲データをアンプ１８を介してボリュームコントローラ１９へ入力する。
【００３９】
オーディオコントローラ１１は、ユーザにより設定された音量（ボリューム）に基づいて、ボリュームコントローラ１９を制御する。ボリュームコントローラ１９は、この制御に基づいて、対応する振幅のアナログ信号を生成し、これをスピーカ２２に入力して再生する。
【００４０】
このような構成において、ＣＤメディアに格納された曲データの複製が要求された場合、オーディオコントローラ１１は、ソース切替部１７を制御して、ＣＤ読取部１６で読み取った曲データの出力先をエンコーダ／デコーダ１５に切り換える。
【００４１】
エンコーダ／デコーダ１５は、入力された曲データを、ＭＰ３方式やＡＴＲＡＣ３方式等の所定の圧縮符号化方式で符号化し、これを記憶装置（Ｈａｒｄ  Ｄｉｓｋ  Ｄｒｉｖｅ：ＨＤＤ）２１に格納する。
【００４２】
また、ＨＤＤ２１に記録された曲データを再生する場合、オーディオコントローラ１１は、ソース切替部１７を制御して情報ソースをＨＤＤ２１に設定し、出力先をエンコーダ／デコーダ１５に設定する。エンコーダ／デコーダ１５でデコードされた曲データは、その後、アンプ１８及びボリュームコントローラ１９を介してアナログ信号としてスピーカ２２より出力される。
【００４３】
次に、オーディオコントローラ１１の具体的な機能について説明する。オーディオコントローラ１１は、所定のプログラムに基づき、ＣＤ読取部１６（読取手段）にセットされた音楽ＣＤ（記録媒体）に記憶された曲データをＨＤＤ２１（記憶手段）に複製する複製手段、複製手段による複製が中断された際に、音楽ＣＤ（記録媒体）を識別するＴＯＣ情報（識別情報）と複製が済んだ曲を特定する複製済み曲情報とを対応付けてＨＤＤ２１（保持手段）に保持させる手段、ＨＤＤ２１（記憶手段）に記憶された曲データを再生する再生手段として機能する。
【００４４】
また、オーディオコントローラ１１は、所定のプログラムに基づき、複製が中断された音楽ＣＤがＣＤ読取部１６にセットされた際に、ＨＤＤ２１等に保持されたＴＯＣ情報及び複製済み曲情報に基づいて、ＨＤＤ２１への複製を再開する。
【００４５】
また、オーディオコントローラ１１は、所定のプログラムに基づき、複製が中断された音楽ＣＤがＣＤ読取部１６にセットされた際に、ＨＤＤ２１への複製を再開するか否かをユーザに選択させるためのダイアログを表示するダイアログ表示手段として機能する。
【００４６】
また、オーディオコントローラ１１は、所定のプログラムに基づき、複製手段による複製が所定期間経過内に再開された場合には、中断した曲から曲データを再生し、複製手段による複製が所定期間経過後に再開された場合又はＣＤ読取部１６にセットされた音楽ＣＤがイジェクトされた場合には、最初の曲から曲データを再生する手段として機能する。
【００４７】
また、オーディオコントローラ１１は、所定のプログラムに基づき、ＣＤ読取部１６にセットされた音楽ＣＤに記憶された曲データをＨＤＤ２１に複製する複製手段、音楽ＣＤに記録された曲データを再生する再生手段、ソースの切替により再生手段による再生が中断された際に、再生が中断された位置を特定する再生中断位置情報を保持手段に保持させる手段、ソースの切替により再生が中断した場合にも、ＨＤＤ２１への複製を継続し、ソースの切替によりＣＤ読取部１６にセットされた音楽ＣＤの曲データの再生が指示された際に、ＨＤＤ２１等保持された再生中断位置情報に基づいて、音楽ＣＤに記憶された曲データの再生を再開する手段として機能する。
【００４８】
次に、ＴＯＣ情報、記録済み曲番、再生中断位置について説明する。オーディオコントローラ１１は、ＣＤ読取部１６にセットされた音楽ＣＤに記録された曲データをＨＤＤ２１へ複製する。この複製中に、ユーザが電源をオフ状態にしたり、セットされた音楽ＣＤがイジェクトされると、すなわち、ＨＤＤ２１への複製が中断されると、オーディオコントローラ１１は、音楽ＣＤのＴＯＣ情報と、複製済み曲情報と再生中断位置情報とを対応付けてＨＤＤ２１に保持する。
【００４９】
オーディオコントローラ１１は、ＴＯＣ情報と関連付けた記録済み曲番と再生中断位置情報とを用いて、ＣＤ読取部１６にセットされた音楽ＣＤの記録を再開する。図２は、音楽ＣＤの再生中断位置を説明するための図である。音楽ＣＤには、トラック１、トラック２、トラック３等のトラック内に曲が収納されている。図２の例では、音楽ＣＤの曲データをＨＤＤ２１に複製する際に、トラック１と、トラック２については、既に記録が済んでいることを示しており、トラック３を再生中に、記録動作が中断ことを示している。
【００５０】
図３は、ＴＯＣ情報と、記録済み曲番と再生中断位置情報とを対応付けて格納したテーブルを説明するための図である。このテーブルはＨＤＤ２１に格納されている。図３に示すように、識別番号「０１」、曲数「８」、総演奏時間「２３分１５秒」、トラック番号「０１〜・・・」、演奏時間がＴＯＣ情報である。また、「コピー済／未」はＴＯＣ情報に対応付けられた記録済み曲番を示している。
【００５１】
また、ＴＯＣ情報に対応付けられた再生中断位置情報を示している。図３の例では、トラック番号「０３」、すなわち曲番３の「１分１５秒」で音楽ＣＤの再生が中断されたことを示している。
【００５２】
次に、本実施例に係る記録再生装置の動作について説明する。図４は、本実施例に係る再生装置の動作フローチャートである。ステップＳ１０１において、オーディオコントローラ１１は、再生装置１の電源がオン状態か否かを判定し、電源がオン状態であれば、ステップＳ１０２に進み、音楽ＣＤがＣＤ読取部１６にセットされているか否かを判定し、音楽ＣＤがＣＤ読取部１６にセットされている場合には、ステップＳ１０４に進む。
【００５３】
ステップＳ１０２において、オーディオコントローラ１１は、音楽ＣＤがＣＤ読取部１６にセットされていないと判定した場合には、ステップ１０３に進む。ステップＳ１０３において、オーディオコントローラ１１は、ユーザにより音楽ＣＤが挿入されたか否かを判定し、ユーザにより音楽ＣＤが挿入されたと判定した場合には、ステップＳ１０４に進む。
【００５４】
ステップＳ１０４において、オーディオコントローラ１１は、ソース切替部１７を介して、ＣＤ読取部１６にセットされた音楽ＣＤからＴＯＣ情報を読み取る。また、オーディオコントローラ１１は、ＨＤＤ２１に記録した曲データのＴＯＣ情報とこれに対応させた情報をＨＤＤ２１から取得して、ＲＡＭ１４に格納する。
【００５５】
ステップＳ１０５において、オーディオコントローラ１１は、ステップＳ１０４において、取得したＣＤ読取部１６にセットされた音楽ＣＤのＴＯＣ情報と、ＨＤＤ１に記録済みの曲データのＴＯＣ情報とを比較して、ＣＤ読取部１６にセットされた音楽ＣＤがＨＤＤ２１へ記録途中の音楽ＣＤか否かを判定する。
【００５６】
ステップＳ１０５において、オーディオコントローラ１１は、ＣＤ読取部１６にセットされた音楽ＣＤがＨＤＤ２１への記録途中の音楽ＣＤであると判定した場合には、ステップＳ１０６に進む。このとき、オーディオコントローラ１１は、図６に示すように、中断した曲から複製を再開するか否かをユーザに選択させるためのダイアログを表示するようにしてもよい。
【００５７】
一方、ステップＳ１０５において、オーディオコントローラ１１は、ＣＤ読取部１６にセットされた音楽ＣＤが記録途中の音楽ＣＤで無いと判定した場合には、ステップＳ１１０において、ユーザによる記録指示があるか否かを判定する。
【００５８】
ステップＳ１１０において、オーディオコントローラ１１は、ユーザによる記録指示が有ると判定した場合には、ステップＳ１１１において、ＣＤ読取部１６にセットされた音楽ＣＤの１曲目からＨＤＤ２１への記録を行うとともに、音楽ＣＤの１曲目から曲データの再生を行う。
【００５９】
一方、ステップＳ１１０において、オーディオコントローラ１１は、ユーザによる記録指示がないと判定した場合には、ステップＳ１１２に進み、ＣＤ読取部１６にセットされた音楽ＣＤの再生動作のみを行う。ステップＳ１１３において、オーディオコントローラ１１は、電源がオン状態であると判定した場合には、ステップＳ１１０に戻り、電源がオフ状態であると判定した場合には、処理を終了する。
【００６０】
ステップＳ１０６に戻って、オーディオコントローラ１１は、ＴＯＣ情報に対応付けた記録済み曲番と、再生中断位置情報をＲＡＭ１４から読み出す。ステップＳ１０７において、オーディオコントローラ１１は、ＣＤ読取部１６にセットされた音楽ＣＤが前回再生の中断から所定時間以上経過しているか又はこの音楽ＣＤが１度イジェクトされたディスクか否かを判定する。
【００６１】
ステップＳ１０７において、オーディオコントローラ１１は、ＣＤ読取部１６にセットされた音楽ＣＤが前回再生の中断から所定時間以上経過しているか又はこの音楽ＣＤが一度イジェクトされたディスクであると判定した場合には、ステップＳ１０９に進む。
【００６２】
ステップＳ１０９において、オーディオコントローラ１１は、記録済み曲番の次の曲から記録を再開すると共に、ＣＤ読取部１６にセットされた音楽ＣＤを１曲目から再生する。これにより、ユーザは、１曲目から曲を聴くことができるとともに、中断された曲から記録が再開される。
【００６３】
一方、ステップＳ１０７において、オーディオコントローラ１１は、ＣＤ読取部１６にセットされた音楽ＣＤが前回再生が中断してから所定時間以上経過しておらず、かつ、イジェクトされた音楽ＣＤでないと判定した場合には、ステップＳ１０８において、記録済み曲番の次の曲から記録を再開する共に、ＣＤ読取部１６にセットされた音楽ＣＤを再生中断位置から再生を再開する。
【００６４】
つまり、記録は前回中断した曲から再開され、再生は前回再生が中断した位置から再生される。したがって、図３に示す例では、３曲目の「１分１５秒」から再生される。
【００６５】
ステップＳ１１４において、オーディオコントローラ１１は、１曲の記録が完了したと判定した場合には、ステップＳ１１７において、ＨＤＤ２１に格納した記録済み曲番を更新する。つまり、図３で示す例では、トラック番号「０３」曲番の「コピー済／未」の項目が「未」から「済」に更新される。
【００６６】
ステップＳ１１８において、オーディオコントローラ１１は、ＣＤ読取部１６にセットされた音楽ＣＤの全曲がＨＤＤ２１に記録されたか否かを判定し、ＣＤ読取部１６にセットされた音楽ＣＤが全曲記録済みであると判定した場合には、ステップＳ１１９において、表示装置２４に全曲記録済みを表示し、ステップＳ１１２に戻る。
【００６７】
ステップＳ１１８において、オーディオコントローラ１１は、ＣＤ読取部１６にセットされた音楽ＣＤが全曲記録済みでない判定した場合には、ステップＳ１２０において、次曲へ切り換えて、ＨＤＤ２１への記録動作を継続し、ステップＳ１１４に戻る。
【００６８】
一方、ステップＳ１１４において、オーディオコントローラ１１は、１曲の記録が完了していないと判定した場合には、ステップＳ１１５において、電源がオフ状態か否かを判定し、電源がオフ状態であると判定した場合には、ステップＳ１１６において、ＨＤＤ２１に格納した再生中断位置情報を更新し、処理を終了する。
【００６９】
図４に示した記録再生装置の動作によれば、複製が中断された音楽ＣＤがＣＤ読取部１６にセットされた際に、ＨＤＤ２１に保持されたＴＯＣ情報及び複製済み曲情報に基づいて、ＨＤＤ２１への複製を再開するようにしたので、途中で複製動作が中断した場合でも、中断した箇所から複製を再開することができる。これにより、前回複製していない曲だけを複製する際の操作が極めて容易となる。また、記録動作を再開する際に、音楽ＣＤが一旦イジェクトされていなければ、記録開始曲から再生し、一旦イジェクトされて再度挿入された場合は１曲目から再生することで、ユーザの意図に反しない再生動作を行うことができる。
【００７０】
次に、本実施例に係る記録再生装置の他の動作例について説明する。図５は、本実施例に係る再生装置の他の動作フローチャートである。ステップＳ２０１において、オーディオコントローラ１１は、ユーザにより他のソースへ切り換えが有ったか否かを判定する。ステップＳ２０１において、オーディオコントローラ１１は、ユーザにより他のソースへの切り換えがあると判定した場合には、ステップＳ２０２に進み、ＨＤＤ２１への記録動作は継続する。
【００７１】
また、オーディオコントローラ１１は、ＣＤ読取部１６にセットされた音楽ＣＤのＴＯＣ情報、このＴＯＣ情報に関連付けた再生中断位置情報をＲＡＭ１４に記録更新すると共に、ソース切替部１７にアクセスしてソースを切り換える。
【００７２】
一方、ステップＳ２０１において、オーディオコントローラ１１は、他のソース切り換えがないと判定した場合には、ステップＳ２０３において、ＣＤ読取部１６にセットされた音楽ＣＤに記憶された曲データをＨＤＤ２１に記録する動作を継続する。
【００７３】
ステップ２０４において、オーディオコントローラ１１は、ユーザによるＣＤへソースの切り替えが有ったか否かを判定し、ＣＤへソース切り替えが有った場合には、ステップＳ２０５において、ＨＤＤ２１への記録動作は継続し、ソース切替部１７を介して、ソースをＣＤへ切り換える。
【００７４】
また、オーディオコントローラ１１は、ＴＯＣ情報、これに関連付けた記録済み曲番、再生中断位置情報をＲＡＭ１４から取得し、再生中断位置から再生を再開し、処理を終了する。ステップＳ２０４において、オーディオコントローラ１１は、ＣＤソースへの切り換えが無いと判定した場合には、ステップＳ２０６において、他のソースを出力しながら、ＣＤ読取部１６にセットされた音楽ＣＤの記録動作を継続する。
【００７５】
図５で説明した記録再生装置１の動作によれば、ソースの切替により再生が中断した場合に、記憶手段への複製を継続し、ソースの切替によりＣＤ読取部１６にセットされた音楽ＣＤの再生が指示された際に、ＨＤＤ２１等に保持された再生中断位置情報に基づいて、曲データの再生を再開するようにしたので、ＨＤＤ２１への複製を継続しながら、他のソースを選択することもできる。
【００７６】
以上、本発明の一実施例を説明した。本発明は上記実施例に限定されるものではなく、本発明の要旨の範囲内において種々の変形が可能である。例えば、記録媒体は実施例で説明した音楽ＣＤに限定されるものではなく、ＤＶＤなどの記録媒体も含まれる。
【図面の簡単な説明】
【００７７】
【図１】本実施例による記録再生装置の構成を示すブロック図である。
【図２】音楽ＣＤの再生中断位置を説明するための図である。
【図３】ＴＯＣ情報と、記録済み曲番と再生中断位置情報とを対応付けて格納したテーブルを説明するための図である。
【図４】本実施例に係る記録再生装置の動作フローチャートである。
【図５】本実施例に係る記録再生装置の他の動作フローチャートである。
【図６】中断した曲の次の曲から複製を再開するか否かをユーザに選択させるためのダイアログの表示例を示す図である。
【符号の説明】
【００７８】
１  記録再生装置
１１  オーディオコントローラ
１６  ＣＤ読取部
２１  記憶装置（ＨＤＤ）
２４  表示装置
【図１】
2005085304.tif 000003
【図２】
2005085304.tif 000004
【図３】
2005085304.tif 000005
【図４】
2005085304.tif 000006
【図５】
2005085304.tif 000007
【図６】
2005085304.tif 000008